(57)【要約】【課題】レンズ鏡筒内における漏れ光を遮断することができるレンズ鏡筒、撮像装置を提供する。【解決手段】交換レンズ１０は、カム筒１５と、カム筒１５の内周面に移動可能に嵌合する第２レンズ保持枠２０と、第２レンズ保持枠２０の外周面に設けられ、カム筒１５の内周面と接触する接触部２２と、接触部２２の被写体光の入射側に設けられる第１開口部２２ａと、第１開口部２２ａにつながれており、接触部２２の被写体光の出射側に設けられ、光軸方向Ｚにおいて第１開口部２２ａと重ならない位置に設けられる第２開口部２３ｂとを備える。【選択図】図２
2014232243.tif 000002
【特許請求の範囲】
【請求項１】
円筒状部材と、
前記円筒状部材の内周面に移動可能に嵌合する移動部材と、
前記移動部材の外周面に設けられ、前記円筒状部材の内周面と接触する接触部と、
前記接触部の被写体光の入射側に設けられる第１開口部と、
前記第１開口部につながれており、前記接触部の被写体光の出射側に設けられ、光軸方向において前記第１開口部と重ならない位置に設けられる第２開口部と、
を備えるレンズ鏡筒。
【請求項２】
請求項１に記載のレンズ鏡筒において、
前記接触部は、前記光軸方向の異なる位置に複数設けられ、
前記第１開口部は、被写体光の最も入射側に設けられた前記接触部に設けられ、
前記第２開口部は、被写体光の最も出射側に設けられた前記接触部に設けられること、
を特徴とするレンズ鏡筒。
【請求項３】
請求項１又は請求項２に記載のレンズ鏡筒において、
前記接触部には、複数の前記第１開口部及び前記第２開口部が形成されること、
を特徴とするレンズ鏡筒。
【請求項４】
請求項１から請求項３までのいずれか１項に記載のレンズ鏡筒において、
前記第１開口部及び前記第２開口部は、クランク状につながれていること、
を特徴とするレンズ鏡筒。
【請求項５】
請求項１から請求項４までのいずれか１項に記載のレンズ鏡筒において、
前記移動部材は、合成樹脂から形成されること、
を特徴とするレンズ鏡筒。
【請求項６】
請求項１から請求項５までのいずれか１項に記載のレンズ鏡筒を備えること、
を特徴とする撮像装置。
【発明の詳細な説明】
【技術分野】
【０００１】
本発明は、レンズ鏡筒、撮像装置に関するものである。
【背景技術】
【０００２】
従来、レンズ鏡筒は、円筒状部材と、その内周面に配置されるレンズ保持枠との隙間から入射する漏れ光を防ぐために、円筒状部材内に遮光シートを設けたり、レンズ保持枠に漏れ光を遮断する形状等を設けたりして対処していた（例えば、特許文献１）。
特許文献１のレンズ鏡筒は、光軸方向にレンズ保持枠が２つ設けられ、レンズ保持枠の１つは、他のレンズ保持枠の凹部を通過した光の進行を遮断する位置に接触部が形成され、凹部を通過する光を遮断している。しかし、このようなレンズ鏡筒は、各レンズ保持枠が独立した状態で円筒状部材内を回転移動した場合に漏れ光を遮断することができない場合があった。
【先行技術文献】
【特許文献】
【０００３】
【特許文献１】特開平１０−１５３７２８号公報
【発明の概要】
【発明が解決しようとする課題】
【０００４】
本発明の課題は、レンズ鏡筒内における漏れ光を遮断することができるレンズ鏡筒、撮像装置を提供することである。
【課題を解決するための手段】
【０００５】
前記課題を解決するために、第１の発明は、円筒状部材と、前記円筒状部材の内周面に移動可能に嵌合する移動部材と、前記移動部材の外周面に設けられ、前記円筒状部材の内周面と接触する接触部と、前記接触部の被写体光の入射側に設けられる第１開口部と、前記第１開口部につながれており、前記接触部の被写体光の出射側に設けられ、光軸方向において前記第１開口部と重ならない位置に設けられる第２開口部と、を備えるレンズ鏡筒である。
第２の発明は、第１の発明のレンズ鏡筒において、前記接触部は、前記光軸方向の異なる位置に複数設けられ、前記第１開口部は、被写体光の最も入射側に設けられた前記接触部に設けられ、前記第２開口部は、被写体光の最も出射側に設けられた前記接触部に設けられること、を特徴とするレンズ鏡筒である。
第３の発明は、第１の発明又は第２の発明のレンズ鏡筒において、前記接触部には、複数の前記第１開口部及び前記第２開口部が形成されること、を特徴とするレンズ鏡筒である。
第４の発明は、第１の発明から第３の発明までのいずれかのレンズ鏡筒において、前記第１開口部及び前記第２開口部は、クランク状につながれていること、を特徴とするレンズ鏡筒である。
第５の発明は、第１の発明から第４の発明までのいずれかのレンズ鏡筒において、前記移動部材は、合成樹脂から形成されること、を特徴とするレンズ鏡筒である。
【０００６】
第６の発明は、第１の発明から第７の発明までのいずれかのレンズ鏡筒を備えることを特徴とする撮像装置である。
【発明の効果】
【０００７】
本発明によれば、レンズ鏡筒内における漏れ光を遮断することができる。
【図面の簡単な説明】
【０００８】
【図１】第１実施形態の交換レンズが取り付けられるカメラの全体構成を説明する概略図である。
【図２】第１実施形態の第２レンズ保持枠とカム筒との配置関係を説明する図である。
【図３】第１実施形態の第２レンズ保持枠の詳細を説明する図である。
【図４】第２実施形態の第２レンズ保持枠の詳細を説明する図である。
【発明を実施するための形態】
【０００９】
（第１実施形態）
以下、図面等を参照して、本発明の実施形態について説明する。
図１は、第１実施形態の交換レンズが取り付けられるカメラの全体構成を説明する概略図である。
図２は、第１実施形態の第２レンズ保持枠とカム筒との配置関係を説明する図である。
図３は、第１実施形態の第２レンズ保持枠の詳細を説明する図である。図３（ａ）は、第２レンズ保持枠の全体を示す斜視図を示し、図３（ｂ）は、図３（ａ）のｂ部詳細図を示す。
なお、各図において、交換レンズに入射する光の光軸方向（交換レンズの前後方向）をＺ方向とし、交換レンズに対して、被写体光の入射側（交換レンズの前側）を＋Ｚ側とし、被写体光の出射側（交換レンズの後側）を−Ｚ側とする。また、交換レンズ（横長の画面で構えたカメラ）の水平方向をＸ方向とし、鉛直方向をＹ方向とする。
【００１０】
カメラ１（撮像装置）は、図１に示すように、カメラ筐体２と、交換レンズ１０（レンズ鏡筒）とを備え、被写体の静止画だけでなく動画も撮影することができるデジタルカメラである。
交換レンズ１０は、カメラ筐体２の取り付け部２ａに対して着脱することができる交換式のレンズ鏡筒である。交換レンズ１０は、図１に示すように、円筒状の外筒１１の先端部に操作環１２を備える。操作環１２の内周側には、第１レンズ群Ｌ１を保持する第１レンズ保持枠１３、固定筒１４、カム筒１５（円筒状部材）等が配置されている。
【００１１】
固定筒１４は、上述の外筒１１と交換レンズ１０の後端側で結合している交換レンズ１０の基礎となる部材である。固定筒１４は、その後端部にカメラ筐体２の取り付け部２ａと接続される取り付け部１４ａが設けられている。
カム筒１５は、固定筒１４の内側に配置され、固定筒１４に対して相対的に回転可能に配置される。カム筒１５の内周側には、第２レンズ群Ｌ２を保持する第２レンズ保持枠２０（移動部材）と、内筒１６とが配置されている。
カム筒１５には、複数のカム溝１５ａ（図２参照）が形成されており、カム筒１５が回転することにより、カム溝１５ａに嵌合する第２レンズ保持枠２０と、第３レンズ群Ｌ３〜第５レンズ群Ｌ５を配置した内筒１６とが、それぞれ個別に光軸方向Ｚに移動する。
【００１２】
内筒１６は、カム筒１５の内周側に設けられた筒状部材であり、その内周面に、第３レンズ群Ｌ３を保持する第３レンズ保持枠１７、第４レンズ群Ｌ４を保持する第４レンズ保持枠１８、第５レンズ群Ｌ５を保持する第５レンズ保持枠１９が配置される。内筒１６は、カム筒１５の回転によって光軸方向Ｚに移動し、それに伴い内筒１６に配置された第３レンズ群Ｌ３〜第５レンズ群Ｌ５も一体で光軸方向Ｚに移動する。なお、第３レンズ群Ｌ３〜第５レンズ群Ｌ５は、不図示のカム溝等の構成によって、内筒１６内で個々に光軸方向Ｚに移動することができる。
【００１３】
上記構成により、交換レンズ１０は、操作環１２の回転操作によって、第１レンズ群Ｌ１、第２レンズ群Ｌ２、内筒１６に配置された第３レンズ群Ｌ３〜第５レンズ群Ｌ５が、それぞれ所定の位置関係で光軸方向Ｚに移動して、合焦点距離を変化することができる。
【００１４】
次に、第２レンズ保持枠２０の詳細な構成について説明する。
第２レンズ保持枠２０は、図２に示すように、カム筒１５の内周面に配置され、光軸方向Ｚに移動可能な円筒状の合成樹脂部材であり、その円筒状の内周面に第２レンズ群Ｌ２が固定される。また、第２レンズ保持枠２０は、その円筒状の後端側（−Ｚ側）にカム筒１５のカム溝１５ａに嵌合する不図示のカムピンが取り付けられるカムピン穴２１が形成されている。
また、第２レンズ保持枠２０は、その外周面に、カム筒１５の内周面と接触する接触部２２が設けられている。
接触部２２は、被写体光の入射側（＋Ｚ側）に第１開口部２２ａが設けられ、被写体光の出射側に第２開口部２２ｂが設けられ、第１開口部２２ａ及び第２開口部２２ｂをつなぐようにして溝２２ｃが形成される。また、接触部２２は、光軸方向Ｚの中央部に、カム筒１５の内周面と接触する面に対して凹となる凹部２３が形成される。なお、第１開口部２２ａ及び第２開口部２２ｂによって形成される溝２２ｃは、上述の接触部２２に設けられる凹部２３によって２つに分離される。
【００１５】
第１開口部２２ａ及び第２開口部２２ｂは、第２レンズ保持枠２０の外周面上に等間隔に３つずつ形成されている。また、各第１開口部２２ａは、光軸方向Ｚにおいて各第２開口部２２ｂと重ならないように形成されている。
これにより、第２レンズ保持枠２０は、第１レンズ群Ｌ１を透過した被写体光の一部が、第１開口部２２ａを通過してしまったとしても、溝２２ｃの側壁により遮断され、漏れ光としてカメラ１の撮像素子３側（−Ｚ側）に入射してしまうのを防ぐことができる。
また、交換レンズ１０内の複数のレンズ保持枠に対して漏れ光の対策を施すことなく、一のレンズ保持枠によって漏れ光を防ぐことができ、交換レンズ１０の設計の自由度を向上させることができる。
更に、第１開口部２２ａ及び第２開口部２２ｂから構成される溝２２ｃを設けることによって第２レンズ保持枠２０は、光軸方向Ｚに移動する場合に、保持される第２レンズ群Ｌ２の移動によって圧縮される保持枠内の空気を保持枠外へ逃がすことができる。これにより、交換レンズ１０は、第２レンズ保持枠２０をより安定して光軸方向Ｚに移動させることができる。
【００１６】
凹部２３は、上述したように、接触部２２に設けられた凹みであり、第２レンズ保持枠２０のカム筒１５に対する接触面積を調整するために設けられる。
ここで、第２レンズ保持枠２０は、上述したように合成樹脂により成形されているが、カム筒１５に対して滑らかに移動可能にするために、接触部２２については、所定の面精度を維持した状態で形成する必要がある。凹部２３は、この面精度を必要とする接触部２２の面積を必要最小限に抑制する。これにより、接触部の面積が広すぎることによる面精度の低下を抑制したり、その低下した面精度を修正する修正工程を省略したり、成形金型の精度出しに必要な加工面積を縮小したりして、第２レンズ保持枠２０の製造コストを低減させることができる。
なお、上述の第１開口部２２ａ及び第２開口部２２ｂによって形成される溝２２ｃも、各開口部の幅寸法を変動させることによって、凹部２３と同様に、各接触部２２の接触面積を調整することができる。
【００１７】
また、凹部２３が設けられることによって、接触部２２を、第２レンズ保持枠２０の被写体光の入射側（＋Ｚ側）及び出射側（−Ｚ側）に分離させることができる。これにより、第２レンズ保持枠２０は、光軸方向Ｚに移動する場合に、光軸方向Ｚに垂直な軸周りに回転してしまうのを抑制することができ、第２レンズ群Ｌ２の駆動精度を向上させることができる。
【００１８】
第２レンズ保持枠２０は、複数に分離した金型を組み合わせて合成樹脂を射出等することによって成形される。このような金型による成形の場合、製造される成形品には、金型を組み合わせた境目にも樹脂が充填されるため、成形された成形品には、金型の組み合わせの境目に対応する部分に凸状の突起が形成されてしまう。ここで、レンズ保持枠のように、その外周面に精度面を形成する必要がある場合、製造された成形品は、精度面に突起が形成されてしまうので、その成形後にこの突起を除去する修正工程を経る必要があり、成形品の製造コスト増加の要因となる。
【００１９】
そのため、本実施形態の第２レンズ保持枠２０は、上述の工程を省略するために、金型の境目となる部分を、カム筒１５の内周面と接触しない、すなわち精度面にはならない溝２２ｃの底面としている。また、凹部２３には、金型の組み合わせの境目に対応する部分に、溝２２ｃの底面と同一面を形成する凸部２３ａが形成される。以上の構成により成形された第２レンズ保持枠２０には、溝２２ｃの底面と、凸部２３ａの上面とに、金型の境目による突起（図３（ｂ）中の破線）が形成されることとなる。
これにより、第２レンズ保持枠２０は、精度面となる接触部２２に突起が形成されてしまうのを防ぐことができ、突起除去の修正工程を省略し、製造コストを低減することができる。なお、このような効果を奏するには、第２レンズ保持枠２０は、接触部２２に少なくとも２つ以上の第１開口部２２ａ及び第２開口部２２ｂから構成される溝２２ｃを形成する必要がある。
【００２０】
以上説明したように、本実施形態の交換レンズ１０には以下のような効果がある。
（１）交換レンズ１０の第２レンズ保持枠２０は、接触部２２の第１開口部２２ａが、光軸方向Ｚにおいて第２開口部２２ｂに重ならないように形成されている。これにより、第２レンズ保持枠２０は、光が第１開口部２２ａを通過したとしても、第２開口部２２ｂの手前で遮断され、被写体光の出射側（−Ｚ側）、すなわちカメラ１の撮像素子３側に光が漏れてしまうのを防ぐことができる。
【００２１】
（２）第２レンズ保持枠２０は、接触部２２が、凹部２３を挟んで光軸方向Ｚに２つ設けられている。これにより、第２レンズ保持枠２０は、カム筒に対する接触面積を必要最小限に抑制しつつ、光軸方向Ｚに移動する場合に、光軸方向Ｚに垂直な軸周りに回転してしまうのを抑制することができ、第２レンズ群Ｌ２の駆動精度を向上させることができる。
【００２２】
（３）第２レンズ保持枠２０の接触部２２には、第１開口部２２ａ及び第２開口部２２ｂがそれぞれ３つずつ形成されている。そのため、第２レンズ保持枠２０は、成形加工により製造された場合において、第１開口部２２ａ及び第２開口部２２ｂをつなぐ溝２２ｃの底面上を金型の境目にすることによって、精度面となる接触部２２に成形による突起が形成されてしまうのを防ぐことができる。これにより、精度面から突起を除去する修正工程を省略することができ、第２レンズ保持枠２０の製造に係る工程を減らし、製造コストを低減することができる。
（４）第２レンズ保持枠２０は、合成樹脂により形成されているので、第２レンズ保持枠２０を射出成形等によって安価でかつ簡易に製造することができる。また、第２レンズ保持枠２０を軽量に作製することができ、第２レンズ群Ｌ２の駆動精度を向上させることができる。
【００２３】
（第２実施形態）
次に、本発明の第２実施形態について説明する。
図４は、第２実施形態の交換レンズの第２レンズ保持枠２２０の構成を説明する図である。図４（ａ）は、第２レンズ保持枠の全体を示す斜視図を示し、図４（ｂ）は、図４（ａ）のｂ部詳細図を示す。図４（ｃ）は、第２レンズ保持枠に形成される溝の他の形態を示す図であり、図４（ｂ）に対応する図である。
なお、以下の説明及び図面において、前述した第１実施形態と同様の機能を果たす部分には、同一の符号又は末尾に同一の符号を付して、重複する説明を適宜省略する。
【００２４】
第２実施形態の交換レンズは、図４に示すように、接触部２２２上に凹部が設けられていない点で、第１実施形態の交換レンズ１０と相違する。
接触部２２２は、第１開口部２２２ａ及び第２開口部２２２ｂをつなぐ溝２２２ｃが形成されている。また、接触部２２２は、その外周面上に第１開口部２２２ａ及び第２開口部２２２ｂがそれぞれ等間隔に３つ形成されている。
第１開口部２２２ａ及び第２開口部２２２ｂをつなぐ溝２２２ｃは、図４（ｂ）に示すように、第２レンズ保持枠２２０の光軸方向Ｚに平行又は略平行な溝と、光軸方向Ｚに垂直又は略垂直な溝部とが交互につながった溝、いわゆるクランク状に形成された溝である。各第１開口部２２２ａは、光軸方向Ｚにおいて各第２開口部２２２ｂと重ならないように形成されている。
【００２５】
以上説明したように、本実施形態の交換レンズは、上述の第１実施形態の交換レンズ１０と同様の効果を奏することができる。
ここで、第２レンズ保持枠２２０は、第１開口部２２２ａ及び第２開口部２２２ｂがクランク状につながれているので、第１開口部２２２ａが光軸方向Ｚにおいて第２開口部２２２ｂと重ならない。そのため、第２レンズ保持枠２２０は、被写体光が第１開口部２２２ａを通過したとしても、溝２２２ｃ内の側壁により遮断され、第２開口部２２２ｂを通過することができない。これにより、第２レンズ保持枠２２０は、第１実施形態と同様に、カメラ１の撮像素子側に漏れ光が入射してしまうのを防ぐことができる。
【００２６】
なお、第１開口部２２２ａ及び第２開口部２２２ｂをつなぐ形態は、第１開口部２２２ａと第２開口部２２２ｂとが光軸方向において重ならないように形成されていれば、図４（ｂ）に示す形態に限られない。例えば、図４（ｃ）に示すように、第１開口部２２２ａ及び第２開口部２２２ｂをつなぐ形態は、光軸方向Ｚに対して所定の角度に傾斜する溝２２２ｃのように形成してもよい。
【００２７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００２８】
（変形形態）
（１）各実施形態において、第１開口部及び第２開口部は、１つの接触部に対して３つ設けられる例を示したが、これに限定されるものでなく、１つの接触部に対して２つ以下又は３つ以上設けるようにしてもよい。
（２）第１実施形態において、第２レンズ保持枠２０は、接触部２２が凹部２３を挟んで２つ設けられる例を示したが、これに限定されるものでなく、接触部を３つ以上設けるようにしてもよい。
【００２９】
（３）各実施形態において、第１開口部及び第２開口部をつなぐ溝は、直線又は複数の直線から形成される例を示したが、これに限定されるものでなく、曲線や、複数の曲線と直線のを結合等によって形成されるようにしてもよい。例えば、第２実施形態のクランク状の溝２２２ｃを、Ｓ字状に形成するようにしてもよい。
（４）各実施形態において、光軸方向Ｚにおいて互いに重ならない第１開口部及び第２開口部は、第２レンズ保持枠の接触部に設けられる例を示したが、これに限定されるものではない。例えば、第２レンズ保持枠以外の他のレンズ保持枠や、光軸方向Ｚに移動する他の移動部材等の接触部に設けることも可能である。
【符号の説明】
【００３０】
１：カメラ、２：カメラ筐体、１０：交換レンズ、１１：外筒、１２：操作環、１４：固定筒、１５：カム筒、１６：内筒、２０：第２レンズ保持枠、２２：接触部、２２ａ：第１開口部、２２ｂ：第２開口部、２２ｃ：溝、２３：凹部、Ｌ１：第１レンズ群、Ｌ２：第２レンズ群、Ｌ３：第３レンズ群、Ｌ４：第４レンズ群、Ｌ５：第５レンズ群
【図１】
2014232243.tif 000003
【図２】
2014232243.tif 000004
【図３】
2014232243.tif 000005
【図４】
2014232243.tif 000006